(57)【要約】【課題】  押し込み操作と平面操作が可能なタッチ操作部材において、操作部の外周部に指が配置されている時に操作性を向上させることを可能にした撮像装置を提供すること。【解決手段】  撮影者の指によるタッチ操作を検知できるタッチ検出手段（１２）と、タッチ操作による出力値を判定するタッチ操作出力値判定手段（１１１）と、該タッチ操作出力値判定手段（１１１）の出力結果に基づいて、撮像装置の状態変更を行う撮像装置制御手段（１０４）と、を有し、撮影画角（３０２）を表示する表示部（６、９）を備える撮像装置において、前記タッチ検出手段（１２）は、撮影者の押し込み操作検出と平面操作検出が可能であり、押し込み操作によって操作状態の階層（ＳＷ０、ＳＷ１、ＳＷ２）が遷移した時点での前記タッチ検出手段（１２）上での指の位置よって、前記タッチ検出手段（１２）の平面操作の操作入力方向（Ａ１１、Ｂ１１、Ｃ１１、Ｄ１１）と前記表示部（６、９）の表示内容を変更することを特徴とする。【選択図】図９
2020136976.tif 000002
【特許請求の範囲】
【請求項１】
撮影者の指によるタッチ操作を検知できるタッチ検出手段（１２）と、
タッチ操作による出力値を判定するタッチ操作出力値判定手段（１１１）と、
該タッチ操作出力値判定手段（１１１）の出力結果に基づいて、撮像装置の状態変更を行う撮像装置制御手段（１０４）と、
を有し、撮影画角（３０２）を表示する表示部（６、９）を備える撮像装置において、
前記タッチ検出手段（１２）は、撮影者の押し込み操作検出と平面操作検出が可能であり、
押し込み操作によって操作状態の階層（ＳＷ０、ＳＷ１、ＳＷ２）が遷移した時点での前記タッチ検出手段（１２）上での指の位置よって、
前記タッチ検出手段（１２）の平面操作の操作入力方向（Ａ１１、Ｂ１１、Ｃ１１、Ｄ１１）と前記表示部（６、９）の表示内容を変更することを特徴とする撮像装置。
【請求項２】
前記タッチ検出手段（１２）は、撮影者が指でタッチ操作を検出できる領域のタッチ操作可能部（１２ａ）を備え、
タッチ操作可能部（１２ａ）上で撮影者が指を距離（ｖ）だけ平面操作を行うと任意のパラメータを入力することが可能であり、
前記タッチ操作可能部（１２ａ）のタッチ操作部境界（４００）は、
前記タッチ操作可能部（１２ａ）の外形からの距離（ｗ）が前記平面操作入力距離（ｖ）以下（ｖ≧ｗ）の領域に設定されており、
前記タッチ操作可能部（１２ａ）の外形よりも小さく相似となっており、
前記タッチ操作可能部（１２ａ）の前記タッチ操作部境界（４００）の外周側に指が位置する場合に、前記平面操作の入力方向（Ａ１１、Ｂ１１、Ｃ１１、Ｄ１１）を変更することを特徴とする請求項１に記載の撮像装置。
【請求項３】
前記表示部（６、９）には撮影範囲を示す表示画角（３０２）が表示されており、
前記表示画角（３０２）の画角境界（３０３）は、前記表示画角（３０２）よりも小さく相似であり、
測距枠（３０１）が前記表示画角（３０２）内の前記画角境界（３０３）の外周側に位置する場合に、前記タッチ検出手段（１２）の操作入力内容（α１２、β１２、γ１２、δ１２）の表示位置を変更することを特徴とする請求項１又は請求項２に記載の撮像装置。
【発明の詳細な説明】
【技術分野】
【０００１】
本発明は、撮像装置に関し、特にタッチ操作可能なレリーズボタンを有する撮像装置に関する。
【背景技術】
【０００２】
従来の撮像装置では、撮影のためにグリップした状態で設定変更をする場合、人差し指や親指の近傍に配置される設定変更釦や、回転ダイヤルなどの操作部材を使用するのが一般的であった。撮影時に、撮影者は、人差し指をレリーズボタン上に置き、親指は、撮像装置背面に配置された背面ラバーや、ＡＦ、ＡＥ開始釦などの操作部材に置く事が一般的である。この状態から撮影の設定変更をするためには、一旦設定変更釦や、回転ダイヤルなどに指を置き直して操作する必要があった。そのため、指を置き直している間に決定的瞬間を撮り逃してしまう可能性があった。また、撮影装置のファインダを覗いた状態で設定を変更する場合は、操作部材を目視できない状態で操作しなければならず、指を置き直すときに操作ミスをする可能性があった。そのため、撮影時に操作部材間で指を置き直すことなく、設定変更を容易に行えるような操作部材が求められている。
【０００３】
特許文献１に開示されている撮像装置は、撮像装置背面から上面にわたって連続的に配設されたタッチパネル上に操作釦を表示させる撮像装置である。前記操作釦はズーム釦を兼ねたレリーズ釦であり、操作釦への押圧力が所定の閾値以上の場合に、レリーズ動作を、所定閾値以下の場合に指の位置に応じたズーム動作を行わせることを特徴とする撮像装置が開示されている。
【先行技術文献】
【特許文献】
【０００４】
【特許文献１】特許第０５０４２９３８号公報
【発明の概要】
【発明が解決しようとする課題】
【０００５】
しかしながら、上記の特許文献１に開示された従来技術では、カメラ背面の表示部に対して、カメラ上面を操作する場合には、撮影時は被写体を確認するために表示部を見ているために、カメラ上面のタッチ位置を注視しづらい。このため、タッチ操作部の外周部に指が位置している場合に、タッチ操作部の枠外に指を誤操作してしまう懸念がある。また、タッチ操作部の外周部に指が位置していることを認識している場合においても、タッチ操作部外への操作は入力されないため、操作入力方向が限定されてしまう懸念もある。
【０００６】
そこで、本発明の目的は、押し込み操作と平面操作が可能なタッチ操作部材において、操作部の外周部に指が配置されている時に操作性を向上させることを可能にした撮像装置を提供することにある。
【課題を解決するための手段】
【０００７】
上記の目的を達成するために、本発明に係る撮像装置は、
撮影者の指によるタッチ操作を検知できるタッチ検出手段（１２）と、
タッチ操作による出力値を判定するタッチ操作出力値判定手段（１１１）と、
該タッチ操作出力値判定手段（１１１）の出力結果に基づいて、撮像装置の状態変更を行う撮像装置制御手段（１０４）と、
を有し、撮影画角（３０２）を表示する表示部（６、９）を備える撮像装置において、
前記タッチ検出手段（１２）は、撮影者の押し込み操作検出と平面操作検出が可能であり、
押し込み操作によって操作状態の階層（ＳＷ０、ＳＷ１、ＳＷ２）が遷移した時点での前記タッチ検出手段（１２）上での指の位置よって、
前記タッチ検出手段（１２）の平面操作の操作入力方向（Ａ１１、Ｂ１１、Ｃ１１、Ｄ１１）と前記表示部（６、９）の表示内容を変更することを特徴とする。
【発明の効果】
【０００８】
本発明によれば、押し込み操作と平面操作が可能なタッチ操作部材において、操作部の外周部に指が配置されている時に操作性を向上させることを可能にした撮像装置の提供を実現できる。
【図面の簡単な説明】
【０００９】
【図１】本発明の実施例である撮像装置のシステム構成図
【図２】（ａ）は本発明の第一の実施例である撮像装置の前面方向全体斜視図、（ｂ）は本発明の第一の実施例である撮像装置の背面方向全体斜視図
【図３】（ａ）は本発明の第一の実施例であるタッチレリーズ操作部材の斜視図、（ｂ）は本発明の第一の実施例であるタッチレリーズ操作部材の裏面側の斜視図、（ｃ）は本発明の第一の実施例であるタッチレリーズ操作部材の分解斜視図、（ｄ）は本発明の第一の実施例であるタッチレリーズ操作部材の裏面側の分解斜視図
【図４】本発明の実施例であるタッチレリーズ操作部材のタッチ検出部１２ｂの構成図
【図５】本発明の実施例である撮像装置のタッチレリーズ操作部材の押し込み操作力と時間の関係を示すグラフ
【図６】本発明の実施例である撮像装置の測距点選択状態（ＳＷ０）におけるタッチ操作可能部１２ａでの指の操作状態と表示内容を示す図
【図７】本発明の実施例である撮像装置の撮影準備状態（ＳＷ１）におけるタッチ操作可能部１２ａでの指の操作状態と表示内容を示す図
【図８】本発明の実施例である撮像装置の撮影状態（ＳＷ２）におけるタッチ操作可能部１２ａでの指の操作状態と表示内容を示す図
【図９】本発明の実施例である撮像装置の撮影準備状態（ＳＷ１）または撮影状態（ＳＷ２）におけるタッチ操作可能部１２ａの外周部に指がある場合の操作入力方向と表示内容を示す図
【図１０】本発明の実施例である撮像装置の撮影準備状態（ＳＷ１）または撮影状態（ＳＷ２）におけるタッチ操作可能部１２ａの外周部に指があり、かつ測距枠が表示画角の外周部に位置する場合の操作入力方向と表示内容を示す図
【発明を実施するための形態】
【００１０】
以下、本発明を実施するための形態について、図面を参照しながら詳細に説明する。
【００１１】
図１は、本発明の実施形態にかかわる撮像装置のシステム構成図である。
【００１２】
まず図１を用いて本実施形態における撮像装置のシステム構成を説明する。
【００１３】
ミラー駆動回路１０３に内蔵されたマイクロコンピュータからなる中央処理装置（以下、「ＭＰＵ」と称する）１０１は、カメラの動作制御を司るものであり、各要素に対して様々な処理や指示を実行する。
【００１４】
本体メモリ１０２には、各種カメラ設定値を記憶することができる。
【００１５】
ＭＰＵ１０１には、ミラー駆動回路１０３、スイッチセンス回路１０４、焦点検出回路１０５、映像信号処理回路１０９が接続されている。これらの回路は、ＭＰＵ１０１の制御により動作するものである。
【００１６】
ＭＰＵ１０１は、撮影レンズユニット２内のレンズ制御回路２０１とマウント接点１３を介して通信を行う。
【００１７】
マウント接点１３は、撮影レンズユニット２が接続されるとＭＰＵ１０１へ信号を送信する機能も有する。これにより、レンズ制御回路２０１は、ＭＰＵ１０１との間で通信を行い、撮影レンズユニット２内の撮影レンズ２０２の駆動を行い被写体の焦点を合わせることができる。
【００１８】
メインミラー３は、図２に示す撮影レンズ光軸２ａに対して４５°の角度に保持された状態で、撮影レンズユニット２を通過する撮影光束をファインダユニット７へ導くと共に、その一部を透過させてサブミラー４へ導く。サブミラー４で反射された撮影光束は位相差焦点検出手段５に導光され、位相差方式の焦点検出を行う。前記焦点情報は、焦点検出回路１０５へ供給され、信号に基づいて焦点検出演算を行い、デフォーカス量及びデフォーカス方向を求め、これに基づいて、レンズ制御回路２０１を介して撮影レンズ２０２を合焦位置まで駆動する。
【００１９】
撮像ユニット８は、被写体像を光電変換する撮像素子を有し、ＣＣＤ型、ＣＭＯＳ型及びＣＩＤ型等様々な形態があり、いずれの形態の撮整像デバイスを採用してもよい。
【００２０】
ミラー駆動回路１０３は、例えばＤＣモータとギヤトレイン等によって構成され、メインミラー３を、ファインダにより被写体像を観察可能とする位置と、撮影光束から待避する位置とに駆動する。
【００２１】
ファインダユニット７は、メインミラー３により反射された撮影光束を正立正像に変換反射する。撮影者はファインダユニット７を介して被写体像を観察することができる。また、ファインダユニット７に隣接するファインダ内表示ユニット６によって、選択中の測距点情報などの撮影条件表示を確認することができる。
【００２２】
クランプ／ＣＤＳ（相関二重サンプリング）回路１０６は、Ａ／Ｄ変換する前の基本的なアナログ処理を行うものであり、クランプレベルを変更することも可能である。
【００２３】
ＡＧＣ１０７（自動利得調整装置）は、Ａ／Ｄ変換する前の基本的なアナログ処理を行うものであり、ＡＧＣ基本レベルを変更することも可能である。
【００２４】
Ａ／Ｄ変換器１０８は、撮像ユニット８のアナログ出力信号をデジタル信号に変換する。
【００２５】
映像信号処理回路１０９は、デジタル化された画像データに対してガンマ／ニー処理、フィルタ処理、ハードウエアによる画像処理全般を実行する。この映像信号処理回路１０９からのモニタ表示用の画像データは、表示装置駆動回路１１０を介して表示部材９に表示される。
【００２６】
スイッチセンス回路１０４は、各スイッチの操作状態に応じて入力信号をＭＰＵ１０１に送信する。測距点選択ボタン１０は押下により、測距点を撮影者による任意の位置に移動することができる状態に遷移することができる。撮影モード切り換えボタン１１は押下により、１回の撮影を行う単写モードと、タッチレリーズ操作中複数枚の撮影を行う連写モードの切り替えを行うことができる。
【００２７】
タッチレリーズ操作部材１２は後述するタッチ操作検出部１２ｂによるタッチ操作出力をタッチセンス回路１１１にて検出し、タッチ操作状態をＭＰＵ１０１に送信する。
【００２８】
次に図２を用いて本実施形態における撮像装置の全体構成について説明する。
【００２９】
図２（ａ）は、撮像装置１の前面斜視図であり、図２（ｂ）は、撮像装置１の背面斜視図である。
【００３０】
撮像装置１には、撮影レンズユニット２が不図示のレンズマウントによって接続されている。撮像装置１には種々の操作部材が配置されている。１２はタッチレリーズ操作部材であり、タッチレリーズ操作部材１２の構成については、図３を用いて後述説明する。カメラ背面部には、ファインダユニット７、表示部材９、測距点選択ボタン１０、撮影モード切り換えボタン１１が配されている。
【００３１】
次に図３を用いて本実施形態におけるタッチレリーズ操作部材１２の構成について説明する。
【００３２】
図３（ａ）は、本発明の実施例であるタッチレリーズ操作部材の斜視図であり、図３（ｂ）は、本発明の実施例であるタッチレリーズ操作部材の裏面側の斜視図であり、図３（ｃ）は、本発明の実施例であるタッチレリーズ操作部材の分解斜視図であり、図３（ｄ）は、本発明の実施例であるタッチレリーズ操作部材の裏面側の分解斜視図である。
【００３３】
タッチレリーズ操作部材１２は、撮像装置の外部筐体の一部がタッチ操作可能な状態で構成されている操作部材であり、斜線の範囲がタッチ操作可能部１２ａとなっている。タッチ操作可能部１２ａの内側には、タッチ操作可能部１２ａと略同一面積のタッチ操作検出部１２ｂが接着剤等のタッチ検出部固定部材１２ｃによって外部筐体の裏面に固定されている。上記のようにタッチレリーズ操作部材１２が外装筐体によって構成される為、外装筐体にボタン保持用の穴部等は不要であり、防塵防滴性能の向上や、外観意匠の自由度が高い構成にできる。また、撮影者が撮像装置１を把持した際に、自然に人差し指が置かれる位置にタッチ操作可能部１２ａを設定することで、撮影の設定変更を行う際にも、常に安定した把持状態を維持することが可能になる。その為、操作性が良くかつ決定的瞬間を取り逃さない撮像装置１を提供することが可能になる。
【００３４】
次にタッチ操作検出部１２ｂの構成について、図４を用いて説明する。
【００３５】
図４は、本発明の実施例であるタッチレリーズ操作部材１２のタッチ操作検出部１２ｂの構成図である。
【００３６】
タッチ操作検出部１２ｂは、ポリイミドのベース部に対して、銅箔によりパターン形成されたいわゆるフレキシブルプリント基板（＝ＦＰＣ）によって構成されている。タッチ操作可能部１２ａの全域を覆うタッチ操作検出部１２ｂの外形内には、上下左右４箇所において、銅パターン（１２ｂ−１、１２ｂ−２、１２ｂ−３、１２ｂ−４）が形成されている。上側検出部として、銅パターン１２ｂ−１が、下側検出部として、銅パターン１２ｂ−３が、右側検出部として、銅パターン１２ｂ−２が、左側検出部として、銅パターン１２ｂ−４が対応している。上記銅パターンはそれぞれタッチセンス回路１１１に接続され、上下左右それぞれの検出部の静電容量の変化を検出する。出力結果のバランスにより撮影者の指によるタッチレリーズ操作部材１２への接触の位置及び面積を検出する。
【００３７】
図５、図６、図７、図８で、タッチレリーズ操作部材１２の詳細な操作方法に関して説明する。
【００３８】
図５は、タッチレリーズ操作時の押し込み操作力と時間の関係を示すグラフである。横軸は時間［Ｔ］、縦軸は静電容量［Ｓ］を示す。タッチレリーズ操作部材１２に対して、指が力を加えると、静電容量Ｓは増加する。静電容量Ｓに対して、第一閾値ａ１、第二閾値ｂ１の閾値が設定されており、それぞれＳＷ０、ＳＷ１、ＳＷ２の領域に分割されている。従って、撮影者は指の力のかけ方により、ＳＷ０、ＳＷ１、ＳＷ２を任意に遷移させることが可能である。また、タッチレリーズ操作部材１２は、前述したように静電容量のバランスを検出しているため、タッチ操作可能部１２ａ上の指の平面操作により、指の位置及び移動量などを検出することも可能となっている。
【００３９】
ＳＷ０は、撮影者の指の平面操作に応じで測距点を選択する測距点選択状態（ＳＷ０）である。ＳＷ１は、選択された測距点位置での被写体測距（＝ＡＦ）及び測光（＝ＡＥ）を行う撮影準備状態（ＳＷ１）である。ＳＷ１では後述するが、タッチ操作可能部１２ａで指を平面操作することで撮影モードの変更などの入力も可能である。ＳＷ２は、選択された測距点位置での撮影を行う撮影状態（ＳＷ２）である。ＳＷ２においても、ＳＷ１と同様に、タッチ操作可能部１２ａで指を平面操作することで撮影モードの変更などの入力も可能である。このようにして、撮影者は、タッチレリーズ操作部材１２のタッチ操作可能部１２ａにおいて、押し込み操作を行うことで、図５のグラフに示すようにＳＷ状態を遷移させることで撮像装置１にて撮影を行う。
【００４０】
続いて、図６、図７、図８で、タッチレリーズ操作部材１２の平面操作について説明する。
【００４１】
図６は、測距点選択状態（ＳＷ０）、図７は、撮影準備状態（ＳＷ１）、図８は、撮影状態（ＳＷ２）を示す。図６、図７、図８とも、上段はタッチレリーズ操作部材１２における指の操作、下段は、ファインダ内表示ユニット６または表示部材９内の表示内容を示す。
【００４２】
図６に示す測距点選択状態（ＳＷ０）では、図６（ａ）に示すように、タッチ操作可能部１２ａにおいて指を操作することで、図６（ｂ）のように表示される測距枠３０１を移動させることができる。撮影者は、測距枠３０１を任意の位置に移動後（図６（ａ）の点ｐ１）、タッチ操作可能部１２ａにて押し込み操作を行うことで、撮影準備状態（ＳＷ１）に遷移させることが可能である。
【００４３】
図７に、撮影準備状態（ＳＷ１）に遷移した状態での操作部と表示内容を示す。図７（ａ）は、撮影準備状態（ＳＷ１）に遷移した状態での指の位置（ｐ１）、図７（ｃ）は、撮影準備状態（ＳＷ１）で平面操作を行った後の指の位置（ｐ２）を示す。図７（ｂ）は、図７（ａ）の操作状態での表示内容、図７（ｄ）は、図７（ｃ）の操作状態での表示内容をそれぞれ示している。
【００４４】
図７（ｂ）には、測距枠３０１の周囲４方に入力パラメータ（α１、β１、γ１、δ１）が表示される。この時、図７（ａ）に示すように、タッチ操作可能部１２ａにおいて、点ｐ１から指をＡ１、Ｂ１、Ｃ１、Ｄ１の方向に距離ｖだけ平面操作を行うと、入力パラメータのα１、β１、γ１、δ１がそれぞれ対応しており、入力することが可能である。本実施例では、図７（ｂ）に示すように、上方向（α１）はＡＦモードの変更、右方向（β１）は絞り駆動、下方向（γ１）はストロボ発光禁止、左方向（δ１）は連続撮影の変更というパラメータを表示している。図７（ｂ）の入力パラメータの個数と内容は、一例であり、これらは適宜変更可能である。図７（ｃ）（ｄ）は、撮影準備状態（ＳＷ１）での平面操作入力の一例を示す。図７（ｃ）に示すようにタッチ操作可能部１２ａにおいてＤ１方向（ｐ１からｐ２）へ距離ｖだけ撮影者が指を平面操作すると、図７（ｄ）に示すように連続撮影への変更が入力され、ドライブモードが単写撮影から連続撮影へ変更される。その後、撮影者はタッチ操作可能部１２ａのｐ２の位置で押し込み操作を行うことで撮影状態（ＳＷ２）へ遷移させることが可能である。
【００４５】
図８は、撮影状態（ＳＷ２）の操作部と表示内容を示す。撮影状態（ＳＷ２）でも、撮影準備状態（ＳＷ１）と同様に、図８（ａ）に示すタッチ操作可能部１２ａのＡ２、Ｂ２、Ｃ２、Ｄ２の操作入力と図８（ｂ）に示す表示内容のα２、β２、γ２、δ２がそれぞれ対応している。従って、撮影状態（ＳＷ２）において、タッチ操作可能部１２ａ上で指を平面操作させることで、α２、β２、γ２、δ２の各種設定の変更が可能となっている。撮影状態（ＳＷ２）でのα２、β２、γ２、δ２の設定変更であるが、例えば、ドライブモードの変更、記録画質の変更、ＡＦモードの変更、内臓ストロボのポップアップなどがあげられる。
【００４６】
図５、図６、図７、図８で説明したように、撮影者はタッチ操作可能部１２ａに指を置いたままで、押し込み操作、平面操作によりカメラのレリーズ操作と各種設定の入力操作が可能となっている。
【００４７】
続いて、本発明におけるタッチ操作可能部１２ａでの指の位置と入力パラメータの表示内容との関連について説明する。
【００４８】
図９は、撮影準備状態（ＳＷ１）または撮影状態（ＳＷ２）でのタッチ操作可能部１２ａの外周部に指がある状態を示している。
【００４９】
測距点選択状態（ＳＷ０）において、タッチ操作可能部１２ａ上で撮影者の指は任意に動くため、撮影準備状態（ＳＷ１）に遷移した時点で撮影者の指はタッチ操作可能部１２ａ上の任意の位置にあることになる。また、撮影準備状態（ＳＷ１）の操作後のタッチ操作可能部１２ａの任意の位置で撮影状態（ＳＷ２）へ遷移するので、撮影状態（ＳＷ２）においても、撮影者の指はタッチ操作可能部１２ａ上の任意の位置にある。従って、図９（ａ）のように、タッチ操作可能部１２ａの外周部に指が位置している場合、タッチ平面操作の入力距離をｖとすると、Ｃ１、Ｄ１方向への操作はタッチ操作可能部１２ａの範囲外となってしまう。このため、Ｃ１、Ｄ１方向への入力はできず、Ａ１、Ｂ１の２方向の操作に限定されることになる。前述したタッチ操作可能部１２ａの外周部とは、タッチ操作可能部１２ａのタッチ操作部境界４００よりも外側の範囲である。タッチ操作部境界４００は、タッチ操作可能部１２ａの外形に対して、図９（ａ）の距離ｗだけ内側にある矩形の境界線であり、タッチ操作可能部１２ａの外形と略相似の形となっている。距離ｗは、タッチレリーズ操作部材１２の平面操作の入力距離ｖ以下（ｖ≧ｗ）となっている。つまり、図９（ａ）に示すようにタッチ操作部境界４００の外側のｐ１１に指が位置している場合は、その位置からＣ１、Ｄ１の方向に平面操作してもパラメータは入力されないことになる。
【００５０】
本実施例においては、撮影準備状態（ＳＷ１）に遷移した時にタッチ操作可能部１２ａの外周部に撮影者の指が位置している場合、入力パラメータの操作方向を変更し、操作方向と関連して、表示内容も変更する仕様となっている。
【００５１】
図９（ｂ）（ｃ）で、タッチ操作可能部１２ａの外周部に指がある場合の操作方向と表示内容を説明する。
【００５２】
図９（ｂ）に示すように、タッチ操作可能部１２ａの外周部にある指の位置（ｐ１１）から入力可能な範囲であるＡ１１、Ｂ１１、Ｃ１１、Ｄ１１の方向へ平面操作が可能となっている。この時、図９（ｃ）に示す表示内容も関連して変更されており、測距枠３０１に対して、操作入力方向に合わせた方向にα１１、β１１、γ１１、δ１１という入力パラメータが表示されている。α１１、β１１、γ１１、δ１１は、前述したＡＦモードの変更、絞り駆動、ストロボ発光禁止、ドライブモードの変更、ドライブモードの変更、記録画質の変更、内臓ストロボのポップアップまたはその他のパラメータを適切に設定することができる。
【００５３】
図１０で、タッチ操作可能部１２ａの外周部に指がある状態において、測距枠３０１が表示画角３０２の外周部に位置する場合の表示内容に関して説明する。
【００５４】
図１０（ａ）に示すように、タッチ操作可能部１２ａの指の位置（ｐ１２）から平面操作の入力方向は、Ａ１２、Ｂ１２、Ｃ１２、Ｄ１２となる。この時、図１０（ｂ）に示すように測距枠３０１が画角境界３０３よりも外側に位置している。画角境界３０３とは、表示画角３０２に対して、およそ測距枠３０１の範囲だけ内側にある矩形の境界線であり、表示画角３０２と略相似の形となっている。図１０（ｂ）に示すように、測距枠３０１の右側の表示画角３０２内に入力パラメータを表示するスペースがない。このような場合には、図１０（ｂ）に示すように、α１２、β１２、γ１２、δ１２の入力パラメータ群を表示画角３０２の画角境界３０３内に表示させる。
【００５５】
本実施例では、入力パラメータ群を画角境界３０３に表示しているが、測距枠３０１に重畳しない表示画角３０２に表示させることでもよい。α１２、β１２、γ１２、δ１２であるが、前述したＡＦモードの変更、絞り駆動、ストロボ発光禁止、ドライブモードの変更、ドライブモードの変更、記録画質の変更、内臓ストロボのポップアップまたはその他のパラメータを適切に設定することができる。このように、表示画角３０２内で入力パラメータを群として表示位置を調整することで、タッチ操作可能部１２ａの操作方向と関連のある表示内容となり、視覚的にも操作性を向上させることが可能である。
【００５６】
以上、本発明の好ましい実施形態について説明したが、本発明はこれらの実施形態に限定されず、その要旨の範囲内で種々の変形及び変更が可能である。
【００５７】
（他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５８】
１  撮像装置、２  撮影レンズユニット、２ａ  撮影レンズ光軸、３  メインミラー、
４  サブミラー、５  位相差焦点検出手段、６  ファインダ内表示ユニット、
７  ファインダユニット、８  撮像ユニット、９  表示部材、
１０  測距点選択ボタン、１１  撮影モード切り換えボタン、
１２  タッチレリーズ操作部材、１２ａ  タッチ操作可能部、
１２ｂ  タッチ操作検出部、１２ｃ  タッチ検出部固定部材、
１３  マウント接点、１０１  ＭＰＵ、１０２  本体メモリ、
１０３  ミラー駆動回路、１０４  スイッチセンス回路、
１０５  焦点検出回路、１０６  ＣＤＳ（相関二重サンプリング）回路、
１０７  ＡＧＣ、１０８  Ａ／Ｄ変換器、１０９  映像信号処理回路、
１１０  表示装置駆動回路、１１１  タッチセンス回路、２０１  レンズ制御回路、
２０２  撮影レンズ、３０１  測距枠、３０２  表示画角、３０３  画角境界、
４００  タッチ操作部境界、ＳＷ０  測距点選択状態、ＳＷ１  撮影準備状態、
ＳＷ２  撮影状態
【図１】
2020136976.tif 000003
【図２】
2020136976.tif 000004
【図３】
2020136976.tif 000005
【図４】
2020136976.tif 000006
【図５】
2020136976.tif 000007
【図６】
2020136976.tif 000008
【図７】
2020136976.tif 000009
【図８】
2020136976.tif 000010
【図９】
2020136976.tif 000011
【図１０】
2020136976.tif 000012